(57)【要約】【課題】無駄が出ず、しかも印字幅を稼ぐことができるレンズシートを得ること。また、いわゆる斜めレンズシートに対して良好な印刷を実行できるプリンタを提供すること。【解決手段】このレンズシート１２は、長手方向に伸びるレンズ１２Ａ１が複数並列して形成された第１の面と、この第１の面とは反対側の面であって、印刷され、または印刷された媒体が貼付される面となる第２の面を備え、外形が長方形または正方形となっている。そして、各レンズ１２Ａ１がシート端１２Ｅに対して傾いて配置されている。また、プリンタは、いわゆる斜めレンズシートと言われるこのレンズシート１２に対して良好な印刷を実行できるものとなっている。【選択図】図２
2009104154.tif 000002
【特許請求の範囲】
【請求項１】
長手方向に伸びるレンズが複数並列して形成された第１の面と、この第１の面とは反対
側の面であって、印刷される面、または印刷された媒体が貼付される面となる第２の面を
備え、外形が長方形または正方形となるレンズシートにおいて、
上記各レンズがシート端に対して傾いて配置されていることを特徴とするレンズシート
。
【請求項２】
前記傾きの角度が、印刷される際の移動方向に沿う前記シート端（以下、副走査方向シ
ート端という。）に対して５度〜１５度の範囲にあることを特徴とする請求項１記載のレ
ンズシート。
【請求項３】
前記副走査方向シート端に直交する方向に、印刷されたドットが並んでいることを特徴
とする請求項２記載のレンズシート。
【請求項４】
前記シート端が交わる部分に丸みを持たせたことを特徴とする請求項１，２または３記
載のレンズシート。
【請求項５】
前記シート端部分であって、前記第１の面または前記第２の面の少なくとも一方側がま
るみ形成されまたはテーパー状とされていることを特徴とする請求項１，２，３または４
記載のレンズシート。
【請求項６】
長手方向に伸びるレンズが複数並列して形成された第１の面と、この第１の面とは反対
側の面であって、印刷される面となる第２の面を備え、外形が長方形または正方形となる
レンズシートに文字または画像の少なくとも一方を印刷可能なプリンタにおいて、
上記レンズシートが、シート端に対して上記各レンズが傾いて配置されている斜めレン
ズシートである場合、
上記各レンズの幅に対応する周期幅の信号が継続することで形成され出力されるレンズ
信号に基づいて、上記レンズ信号の最初に出力される欠損したパルス部分に対応する信号
を、後に出力される信号のパルス幅と同じパルス幅の欠損が無い信号とした補完レンズ信
号を生成し、この補完レンズ信号に基づいて、上記斜めレンズシートへ印刷することを特
徴とするプリンタ。
【請求項７】
前記補完レンズ信号は、前記レンズ信号であって、最後に出力されるパルス部分に対応
する欠損した信号を、前に出力された信号のパルス幅と同じパルス幅の欠損が無い信号と
したことを特徴とする請求項６記載のプリンタ。
【発明の詳細な説明】
【技術分野】
【０００１】
本発明は、レンズシートおよびそのレンズシートに印刷可能なプリンタに関する。
【背景技術】
【０００２】
各種の印刷技術の中には、多数のシリンドリカル凸レンズ（以下、凸レンズとする。）
が並列配置されたレンチキュラーレンズを具備するレンズシートの記録層に、印刷画像を
印刷するものがある（特許文献１参照）。
【０００３】
この印刷技術は、レンズシートの記録層に、凸レンズのピッチに対応させたストライプ
状の細分化画像を多数並べて記録するものとなっている。そして、細分化画像の種類に応
じて、目視される画像が立体的（立体視）となったり、見る角度を変えて動く画像（アニ
メーション）とすることが可能となる。このレンズシートへの印刷では、両眼に対して凸
レンズ配列を縦または横にした配置が一般的である（特許文献１参照）。
【０００４】
【特許文献１】特許第３４７１９３０号公報（段落番号００６６〜００７６、図１、図５、図８、図９等参照）
【発明の開示】
【発明が解決しようとする課題】
【０００５】
しかしながら、特許文献１記載の発明では、凸レンズ内での印字幅の都合で扱える視差
数が限られたり、視差数の増加に伴って印字幅が減少したりする。なお、視差数は、画像
の滑らかさに影響しやすく、１視差あたりの印字幅は画質に影響を与える。
【０００６】
この対応策として、細分化画像をレンズシートに対して斜めに印刷することが考えられ
る。しかし、このような方法では、必要な画像部分の面積より大きな面積を有するレンズ
シートに、その画像を印刷し、印刷後にレンズシートからその画像部分だけを切り出すこ
ととなる。このような切り出し作業があると、レンズシートの残りの部分は無駄になって
しまう。
【０００７】
本発明は、上記の事情にもとづきなされたもので、無駄が出ず、しかも印字幅を稼ぐこ
とができるレンズシートを提供することを目的とする。また、他の発明は、いわゆる斜め
レンズシートに対して良好な印刷を実行できるプリンタを提供することを目的とする。
【課題を解決するための手段】
【０００８】
上記課題を解決するために、本発明のレンズシートは、長手方向に伸びるレンズが複数
並列して形成された第１の面と、この第１の面とは反対側の面であって、印刷される面、
または印刷された媒体が貼付される面となる第２の面を備え、外形が長方形または正方形
となるレンズシートにおいて、各レンズがシート端に対して傾いて配置されているもので
ある。
【０００９】
この発明のレンズシートでは、外形が長方形または正方形であり、かつ各レンズがシー
ト端に対して傾いて配置されているので、無駄が出ず、しかも印字幅を稼ぐことが可能と
なる。この発明のレンズシートの各レンズは、シート端に対して傾いているが、傾きの角
度は、０．２度や４５度といったように、何度でもよい。また、傾きは、右下がりであっ
ても、左下がりであっても良い。
【００１０】
また、他の発明は、上述の発明に加えて、傾きの角度が、印刷される際の移動方向に沿
うシート端（以下、副走査方向シート端という。）に対して５度〜１５度の範囲にあるも
のとしている。傾きをこの範囲とすると、立体印刷向きとなり、そのシートを９０度傾け
て観測する場合は、モーション印刷や変り絵印刷などの変化系印刷向きとなる。
【００１１】
また、他の発明は、上述の発明に加えて更に、副走査方向シート端に直交する方向に、
印刷されたドットが並んでいる。このように構成した場合には、印字幅を稼ぐことができ
るレンズシートとなる。
【００１２】
さらに、他の発明は、上述の発明に加えて、シート端が交わる部分に丸みを持たせてい
る。この構成とすると、レンズシートを扱う際に、手が切れるという危険が減少する。
【００１３】
さらにまた、他の発明は、上述の発明に加えて更に、シート端部分であって、第１の面
または第２の面の少なくとも一方側がまるみ形成されまたはテーパー状とされている。こ
のように構成した場合には、レンズシートを扱う際に、手が切れるという危険が一層減少
する。
【００１４】
また、本発明のプリンタは、長手方向に伸びるレンズが複数並列して形成された第１の
面と、この第１の面とは反対側の面であって、印刷される面となる第２の面を備え、外形
が長方形または正方形となるレンズシートに文字または画像の少なくとも一方を印刷可能
なプリンタにおいて、レンズシートが、シート端に対して各レンズが傾いて配置されてい
る斜めレンズシートである場合、各レンズの幅に対応する周期幅の信号が継続することで
形成され出力されるレンズ信号に基づいて、レンズ信号の最初に出力される欠損したパル
ス部分に対応する信号を、後に出力される信号のパルス幅と同じパルス幅の欠損が無い信
号とした補完レンズ信号を生成し、この補完レンズ信号に基づいて、斜めレンズシートへ
印刷している。
【００１５】
この発明のレンズシート（斜めレンズシート）の場合、印刷開始側のシート端の一部の
レンズに欠損が生ずるが、この発明では、この欠損部分に対応する補完レンズ信号は、他
の箇所のレンズと同じ幅のパルス幅となっているため、狭いレンズ幅内に細分化画像を納
めるような印刷がされてしまうことがなくなる。
【００１６】
また、他の発明は、上述の発明に加えて更に、補完レンズ信号は、レンズ信号であって
、最後に出力されるパルス部分に対応する欠損した信号を、前に出力された信号のパルス
幅と同じパルス幅の欠損が無い信号としている。このように構成した場合には、斜めレン
ズシートの印刷を終了する側のシート端のレンズが欠損していても、この部分に対応する
補完レンズ信号は、他の箇所のレンズと同じ幅のパルス幅となっているため、狭いレンズ
幅内に細分化画像を納めるような印刷がされてしまうことがなくなる。
【発明を実施するための最良の形態】
【００１７】
以下、本発明のレンズシートおよびプリンタの一実施の形態について、図１から図２６
に基づいて説明する。なお、本実施の形態のプリンタ１０は、インクジェット式のプリン
タとなっている。このようなインクジェット式プリンタは、インクを吐出して印刷可能な
装置であれば、いかなる吐出方法を採用した装置でも良い。また、例えばレーザ方式、昇
華型熱転写方式、ドットインパクト方式等のインクジェット式以外のプリンタについても
、本発明は適用可能である。
【００１８】
なお、以下の説明においては、下方側とは、プリンタ１０が設置される側を指し、上方
側とは、設置される側から離間する側を指す。また、後述するキャリッジ３０が移動する
方向を主走査方向、主走査方向に直交する方向であってレンズシート１２が搬送される方
向を副走査方向とする。また、レンズシート１２が供給される側を給紙側（後端側）、レ
ンズシート１２が排出される側を排紙側（手前側）として説明する。
【００１９】
＜レンズシートに関して＞
最初に、印刷対象物であるレンズシート１２について説明する。図１に示すように、レ
ンズシート１２は、表面（第１の面に相当）に位置するレンチキュラーレンズ１２Ａと、
このレンチキュラーレンズ１２Ａの裏面と接するインク吸収層１２Ｂと、該レンズシート
１２の裏面（第２の面に相当）に位置するインク透過層１２Ｃとを具備している。これら
のうち、レンチキュラーレンズ１２Ａは、一方向を長手とする複数のシリンドリカル凸レ
ンズ（凸レンズ１２Ａ１）が、一定のピッチで並列配置された構成となっている。レンチ
キュラーレンズ１２Ａにおいては、それぞれの凸レンズ１２Ａ１を進行する光の焦点が、
レンチキュラーレンズ１２Ａの裏面（インク吸収層１２Ｂとの境界面Ｑ）に位置するよう
に、凸レンズ１２Ａ１の曲率が形成されている。
【００２０】
レンチキュラーレンズ１２Ａは、ＰＥＴ、ＰＥＴＧ、ＡＰＥＴ、ＰＰ、ＰＳ、ＰＶＣ、
アクリル、ＵＶ樹脂などから作られる。インク吸収層１２Ｂは、印刷面に相当し、この印
刷面にインクが定着し印刷画像が形成されることになる。インク吸収層１２Ｂは、レンチ
キュラーレンズ１２Ａに貼り合わせる専用紙、ロール状の紙等としても良い。また、レン
ズシート１２には、インク透過層１２Ｃはあってもなくてもよいが、そのインク透過層１
２Ｃがあることで、印刷後すぐに触ることができる。また、インク透過層１２Ｃやインク
吸収層１２Ｂ以外に、透明フィルム層や接着層などの他の層があってもよい。なお、レン
ズシート１２は、上述のインク吸収層１２Ｂおよびインク透過層１２Ｃを備えない構成を
採用し、レンチキュラーレンズ１２Ａの裏面に直接、印刷をし、レンチキュラーレンズ１
２Ａの裏面自体を印刷面としてもよい。
【００２１】
なお、本実施の形態では、レンチキュラーレンズ１２Ａにおける凸レンズ１２Ａ１の並
びのピッチ（配設間隔）としては、後述するスケール８１のラインパターンの並びのピッ
チの整数倍とするものがある。例えば、スケール８１のラインパターンが１／１８０イン
チである場合、凸レンズ１２Ａ１のピッチは、１０ｌｐｉ（ｌｅｎｓ  ｐｅｒ  ｉｎｃｈ
；１インチ当たりの凸レンズ１２Ａ１の本数）、２０ｌｐｉ、３０ｌｐｉ、４５ｌｐｉ、
６０ｌｐｉ、９０ｌｐｉ、１８０ｌｐｉ（１８０ｄｐｉのパターンピッチのラインパター
ンを有するスケール８１と比較して、１〜１８の比を有するピッチ）とするものがある。
しかしながら、凸レンズ１２Ａ１のピッチは、該例示には限られず、例えば、１００ｌｐ
ｉ、１２０ｌｐｉ、１３０ｌｐｉ、のように、種々変更するようにしても良い。また、レ
ンズシート１２の凸レンズ１２Ａ１のピッチは、製造誤差等によって、通常は、上述のよ
うな正確なピッチとはならず、若干ずれたものとなっている。
【００２２】
また、インク透過層１２Ｃは、ノズルから吐出されたインク滴が最初に付着する部分で
あり、該付着したインクが透過していく部分である。このインク透過層１２Ｃは、例えば
酸化チタン、シリカゲル、ＰＭＭＡ（メタクリル樹脂）、バインダ樹脂、硫酸バリウム、
ガラスファイバ、プラスチックファイバ等を材料としたものとして形成されている。また
、インク吸収層１２Ｂは、インク透過層１２Ｃを透過したインクを吸収および／または固
着させる部位である。このインク吸収層１２Ｂは、例えばＰＶＡ（ポリビニルアルコール
）等の親水性ポリマー樹脂、カチオン化合物、シリカ等の微粒子等を材料としたものとし
て形成されている。なお、インク吸収層１２Ｂとインク透過層１２Ｃのいずれか一方は、
光を通す非透明な部材とされ、他方は透明な部材とされているが、共に白色で光を通す部
材としたり、共に透明な部材としたりしても良い。また、必要により、共に、光を通さな
い部材とすることもできる。
【００２３】
さらに、レンチキュラーレンズ１２Ａの切断面は鋭利になっているので、扱う人の手や
指を切る危険があるので、角をとっておくことが望ましい。すなわち、図３（Ａ）に示す
ように、シート端１２Ｅが交わる部分１３を丸くしたり（円弧状にしたり）、図３（Ｂ）
に示すように、シート端１２Ｅ部分であって、第１の面となる表側に丸み部分１４や第２
の面となる裏側に同様な丸み部分１５を設けるのが好ましい。なお、丸みを設ける代わり
に、テーパーである斜面を設けても良い。また、丸みを設ける部分は、レンチキュラーレ
ンズ１２Ａの部分に設けるのが好ましいが、第１や第２の面の少なくとも一方側がまるみ
形成されまたはテーパー状とされていれば、手を切る危険は減少する。
【００２４】
また手を切る危険性を避ける別な方法として、レンズシート１２を、レンチキュラーレ
ンズ１２Ａ、透明フィルム、インク吸収層１２Ｂ、インク透過層１２Ｃの順で構成し、レ
ンチキュラーレンズ１２Ａより透明フィルムのほうを若干大きめにする方法も採用できる
。
【００２５】
また、図２、図３に示すように、本実施の形態におけるレンズシート１２は、その外観
が長方形または正方形の矩形状となっていると共に、該矩形状の外観を構成するレンズシ
ート１２のシート端１２Ｅｔ（このシート端１２Ｅｔは、後述するように、印刷時の副走
査方向と平行となるシート端で、以下では、適宜、副走査方向シート端という。）が、凸
レンズ１２Ａ１の長手方向（遷移方向に相当）に対して傾斜する状態に設けられている。
すなわち、凸レンズ１２Ａ１の長手方向は、矩形状のレンズシート１２の外枠（各シート
端１２Ｅ）に対して、平行または垂直ではなく、傾斜する状態に設けられている。なお、
副走査方向シート端は、印刷開始側のシート端１２Ｅｔと、印刷終了側のシート端１２Ｅ
ｅの２つが存在している。また、シート端１２Ｅには、上述の２つの他に、シート端１２
Ｅｔ，１２Ｅｅをつなぐように、前後方向となる位置に、シート端１２Ｅｍ、１２Ｅｕが
存在している。これら４つのシート端１２Ｅｔ，１２Ｅｅ，１２Ｅｍ，１２Ｅｕによって
、長方形または正方形の外形が形成されている。
【００２６】
なお、凸レンズ１２Ａ１のシート端１２Ｅｔ、１２Ｅｅに対する傾斜角度θは、本実施
の形態では、１０度程度となるように設けられている。しかしながら、傾斜角度θは、１
０度に限られるものではなく、５度〜１５度の範囲内であれば、視差に対応する視差画像
の目視性が良好となる。また、傾きをこの範囲とすると、立体印刷向きとなり、そのレン
ズシート１２を９０度傾けて観測する場合は、モーション印刷や変り絵印刷などの変化系
印刷向きとなる。なお、シート端１２Ｅｔは、上述したように、レンズシート１２の主走
査方向（印刷方向）における印刷が開始される側のシート端である。
【００２７】
＜プリンタの全体的な構成について＞
図４他に示すように、プリンタ１０は、キャリッジモータ（ＣＲモータ２２）によって
キャリッジ３０を主走査方向に往復動させるキャリッジ機構２０、ＰＦモータ４１（紙送
りモータに対応）によってレンズシート１２を搬送する用紙搬送機構４０等があり、その
他、図４に示す制御部１００が存在する。
【００２８】
ここで、キャリッジ機構２０の詳細について説明する。キャリッジ機構２０は、図４お
よび図５他に示すように、キャリッジ３０を具備している。また、キャリッジ機構２０は
、キャリッジ３０を摺動可能に保持するキャリッジ軸２１と、キャリッジモータ（ＣＲモ
ータ２２）と、このＣＲモータ２２に取り付けられている歯車プーリ２３と、無端のベル
ト２４と、歯車プーリ２３との間にこの無端のベルト２４を張設する従動プーリ２５と、
リニアエンコーダ８０と、を備えている。なお、キャリッジ機構２０を揺動させて、主走
査方向を副走査方向（＝レンズシート１２の搬送方向）に対して斜めとする揺動機構を加
えるようにしても良い。
【００２９】
図５等に示すように、プラテン５０に対向する状態で、キャリッジ３０が設けられてい
る。キャリッジ３０には、図４等に示すように、各色のインクカートリッジ３１が着脱可
能に搭載されている。また、キャリッジ３０の下部には、印刷ヘッド３２が設けられてい
る。図６に示すように、印刷ヘッド３２には、ノズル３３ａがレンズシート１２の搬送方
向（副走査方向）に列状に配置され、それぞれの色のインクに対応したノズル列３３を形
成している。なお、本実施の形態では、ノズル列３３は、例えば１８０個のノズル３３ａ
から構成されており、このうち、１８０番目のノズル３３ａが給紙側、１番目のノズル３
３ａが排紙側に位置している。
【００３０】
また、キャリッジ３０の下部に設けられ、各インクに対応づけられたノズル列３３には
、ノズル３３ａ毎に、ピエゾ素子（不図示）が配置されている。このピエゾ素子の作動に
より、インク通路の端部にあるノズル３３ａからインク滴を吐出することが可能となって
いる。なお、印刷ヘッド３２は、ピエゾ素子を用いたピエゾ駆動方式に限られず、例えば
、インクをヒータで加熱し、発生する泡の力を利用するヒータ方式、磁歪素子を用いる磁
歪方式、静電気力を利用した静電方式、ミストを電界で制御するミスト方式等、その他の
方式を用いるようにしても良い。
【００３１】
また、図５等に示すように、プリンタ１０は、用紙搬送機構４０を具備している。用紙
搬送機構４０は、レンズシート１２等を搬送するためのＰＦモータ４１（図４参照）、お
よび普通紙等の給紙に対応する給紙ローラ４２を具備している。また、給紙ローラ４２よ
りも排紙側には、レンズシート１２を搬送および／または挟持するためのＰＦローラ対４
３が設けられている。なお、ＰＦローラ対４３のうち、ＰＦ駆動ローラ４３ａは、ＰＦモ
ータ４１からの駆動力が伝達され、レンズシート１２の１ステップずつの搬送を可能とし
ている。
【００３２】
また、ＰＦローラ対４３の排紙側には、プラテン５０および上述の印刷ヘッド３２が上
下に対向する様に配設されている。プラテン５０は、ＰＦローラ対４３によって印刷ヘッ
ド３２の下へ搬送されてくるレンズシート１２を、下方側から支持する。また、プラテン
５０よりも排紙側には、上述のＰＦローラ対４３と同様の、排紙ローラ対４４が設けられ
ている。この排紙ローラ対４４のうち、排紙駆動ローラ４４ａには、ＰＦ駆動ローラ４３
ａと共に、ＰＦモータ４１からの駆動力が伝達される。
【００３３】
また、プリンタ１０のうち、排紙側とは逆の後端側かつ給紙ローラ４２の下方側には、
開口部４５が設けられている。開口部４５は、レンズシート１２等の折り曲げ困難な印刷
対象物を、プリンタ１０の後端側で通過させるための開口部分である。なお、レンズシー
ト１２は、単体で開口部４５を通過する以外に、トレイ等に載置された状態で通過するよ
うにしても良い。
【００３４】
また、図１および図８等に示すように、キャリッジ３０の下面とプラテン５０の間の部
位には、レンズシート１２における凸レンズ１２Ａ１のレンズピッチ（またはレンズ位置
）を検出する、レンズ検出手段としてのレンズ検出センサ６０が配置されている。レンズ
検出センサ６０は、光の投受光方式（透過方式）のセンサであって、図１および図８等に
示すように、発光部６１と、受光部６２とを有している。これらうち、発光部６１は、搬
送されるレンズシート１２よりもプラテン５０側（下方側）に設けられている。また、受
光部６２は、搬送されるレンズシート１２よりもキャリッジ３０側（上方側）に設けられ
ている。なお、発光部６１が設けられる部位は、プラテン５０には限られず、その他の固
定的な部位に設けるようにしても良く、また、プラテン５０の前端側に設けるようにして
も良い。このように、発光部６１をプラテン５０の後端側に設けることにより、後述する
発光部６１と受光部６２とが対向することとなる。
【００３５】
これらのうち、発光部６１は、多数の発光ダイオード（ＬＥＤ；Light Emitting Diode
）から構成されている。なお、ＬＥＤとしては、可視光または赤外光等の種々の波長の光
を発するものがあるが、眩しさを抑える場合、赤外光を発する赤外ＬＥＤを用いるのが好
ましい。また、発光部６１は、プラテン５０の後端側に存在する凹陥部５１に設けられて
いる。凹陥部５１は、プラテン５０の他の部分よりも窪んでいる部分である。この凹陥部
５１は、光源群６１１（光源６１２）が拡散板６１３に対して一定の距離だけ離間可能と
なるように、一定以上の深さ寸法を有する状態に設けられている。
【００３６】
また、上述のように、光源群６１１は、多数の光源６１２が主走査方向に並べられてい
る。また、光源６１２は、所定の間隔毎に配置されていると共に、光源６１２の指向性を
考慮して、レンズシート１２に対して一定の間隔だけ離間する状態で配置されている。そ
れにより、光源６１２から出射された光は、拡散板６１３に対して、若干の広がりを有し
た状態で照射される。また、拡散板６１３は、光源６１２から出射された光の進行方向を
種々変更する。それにより、拡散板６１３を通過した光は、コントラストの均一化が図ら
れた状態で、レンズシート１２に向かって出射される。
【００３７】
なお、本実施の形態では、光源６１２が並べられた光源群６１１は、レンズシート１２
の規定の幅よりも大きくなるように設けられている。そのため、レンズシート１２に対し
て入射される光のコントラストに、大きな差異が生じないように設けられている。また、
光のコントラストを一層低減したい場合には、光源群６１１を構成する光源６１２の配置
を変更して、多数の光源６１２を千鳥状となるように配置するようにしても良い。
【００３８】
また、受光部６２は、例えば図６示すように、キャリッジ３０の下面に取り付けられて
いて、しかも、主走査方向において、例えばホームポジションから離間する部位、かつ副
走査方向において給紙側に取り付けられている。しかしながら、受光部６２の取付位置は
、かかる部位には限られず、キャリッジ３０の下面のうち、例えば主走査方向の中央部に
取り付けられる構成としても良い。
【００３９】
本実施の形態では、受光部６２は、基体部６２１、受光素子６２３およびスリット板６
２４を有している。このうち、基体部６２１は、受光素子６２３を取り付ける部分であり
、該受光素子６２３を取り付ける収納部６２２を有している。この収納部６２２は、四方
が板状部材で囲まれる状態となっている。そして、板状部材で囲まれた収納部６２２に受
光素子６２３が取り付けられ、下面側のみが開放している。それによって、一定の拡散光
の受光を防止するように構成されている。
【００４０】
また、受光素子６２３は、例えばフォトトランジスタ、フォトダイオード、フォトＩＣ
等のような、受光した光を電気信号に変換することが可能な素子である。また、収納部６
２２の下面側には、スリット板６２４が取り付けられている。このスリット板６２４には
、光の通過を許容するスリット６２４ａが形成されていて、該スリット６２４ａを介して
所定の方向の光（図１においては光軸Ｌに沿う方向の光）の受光を許容する構成となって
いる。
【００４１】
なお、スリット６２４ａの幅寸法は、凸レンズ１２Ａ１のレンズ幅の１／２以下である
ことが望ましい。しかしながら、スリット６２４ａの幅寸法が狭すぎる場合、プラテン５
０とキャリッジ３０との間のギャップ調整がシビアになり、良好な検出が行えなくなる虞
がある。このため、スリット６２４ａの幅寸法は、一定の寸法値以上とする必要がある。
また、スリット板６２４のうち、スリット６２４ａ以外の部分に照射された光は、該スリ
ット板６２４によって遮断される。かかる構成により、光軸Ｌに沿う方向以外の拡散光が
受光素子６２３で受光されるのが防止されている。
【００４２】
また、上述のようなスリット板６２４を設けない構成を採用しても良い。この場合には
、受光素子６２３におけるレンズピッチの検出精度は悪化するものの、各凸レンズ１２Ａ
１の有する集光作用等により、レンズシート１２のレンズピッチの検出は可能である。
【００４３】
また、本実施の形態では、受光部６２は、レンズシート１２の搬送状態において、該レ
ンズシート１２に接触しないものの、このレンズシート１２に対して搬送性を悪化させな
い程度に近接する配置となっている。それにより、発光部６１から出射された光は、境界
面Ｑのうち各凸レンズ１２Ａ１の曲率中心を焦点として拡散するが、光はさほど拡散しな
い状態で受光部６２に入射される。
【００４４】
なお、発光部６１が、図１に示すような直下方式を採用する場合、その構成は、発光ダ
イオードを多数並べるものには限られず、主走査方向を長手とするライン状光源を用いる
ようにしても良い。ライン状光源としては、具体的には、陰極蛍光ランプ（ＣＦＬ；Cath
ode Fluorescent Lamp）、冷陰極蛍光ランプ（ＣＣＦＬ；Cold Cathode Fluorescent Lam
p）またはエレクトロルミネセンス（ＥＬ；Electro Luminescence）を用いることが可能
である。また、発光部６１は、その他、可視光または赤外光のようなレーザ光を生じさせ
ることが可能なレーザ発振器、ランプ等を用いるようにしても良い。
【００４５】
また、発光部としては、直下方式を採用せずに、エッジライト方式の構成を採用するよ
うにしても良い。この場合、発光部は、主走査方向の端部に配置される光源と、光源の光
を主走査方向側に向けて反射するリフレクタと、光が内部を進行すると共に主走査方向を
長手とする導光板と、導光板の下面側、側面側および導光板の長手方向の他端側に取り付
けられ光を反射する反射部材と、上面側に向かって出射される光を拡散させる拡散フィル
ムと、導光板の下面に配置され光を拡散させる反射ドットと、を有するものとするのが好
ましい。
【００４６】
また、レンズシート１２とノズル３３ａとの間の距離ＰＧを測定すべく、キャリッジ３
０の下面には、レンズ検出センサ６０以外に、ギャップ検出センサ７０が存在するのが好
ましい。図９は、距離ＰＧを検出するギャップ検出センサ７０の説明図である。図９に示
すように、ギャップ検出センサ７０は、発光部７１と、２つの受光部（第１受光部７２ａ
及び第２受光部７２ｂ）とを有する。発光部７１は、発光ダイオードを有し、レンズシー
ト１２に光を照射する。第１受光部７２ａおよび第２受光部７２ｂは、受光した光量に応
じた電気信号を出力する受光素子をそれぞれ有する。なお、第２受光部７２ｂは、第１受
光部７２ａと比較して、発光部７１から遠い位置に設けられている。
【００４７】
発光部７１から発せられた光は、レンズシート１２に照射されると共に、反射される。
反射された光は、上述の受光素子に入射され、この受光素子において入射した光量に応じ
た電気信号に変換される。ここで、距離ＰＧが小さい場合、レンズシート１２によって反
射された光は、主に第１受光部７２ａに入射されるが、第２受光部７２ｂには拡散光しか
入射されない。したがって、第１受光部７２ａの出力信号は、第２受光部７２ｂの出力信
号よりも大きくなる。
【００４８】
一方、距離ＰＧが大きい場合、反射された光は、主に第２受光部７２ｂに入射され、第
１受光部７２ｂには拡散光しか入射されない。したがって、第２受光部７２ｂの出力信号
は、第１受光部７２ａの出力信号よりも大きくなる。このため、第１受光部７２ａと第２
受光部７２ｂの出力信号の比と距離ＰＧとの関係を予め求めておけば、該出力信号の比に
基づいて、レンズシート１２等に対応する距離ＰＧを検出することが可能である。この場
合、受光部７２ａ，７２ｂの出力信号の比と距離ＰＧとの関係に関する情報をテーブルと
してＲＯＭ１０２や不揮発性メモリ１０４に記憶しておくのが良い。
【００４９】
このような出力信号の検出を、キャリッジ３０を主走査方向へ駆動させつつ行う。この
駆動に際して、後述するリニアエンコーダ８０の位置検出と対応させることにより、レン
ズシート１２の主走査方向における距離ＰＧを検出することが可能となる。
【００５０】
なお、ギャップ検出センサ７０は、上述のレンズ検出センサ６０と兼用可能である。こ
の場合、発光部６１の光軸が傾斜するように配置し、距離ＰＧに応じて第１受光部７２ａ
と第２受光部７２ｂとの間における出力信号の比が変化するようにすれば、ギャップ検出
センサ７０とレンズ検出センサ６０とを兼用させることが可能となる。
【００５１】
また、図４等に示すように、キャリッジ機構２０には、位置検出手段に対応するリニア
エンコーダ８０が設けられている。リニアエンコーダ８０は、黒色の印刷部分と光を透過
する透明部分とからなるラインパターンが繰り返されるスケール８１と、スケール８１に
向けて光を出力すると共に、該スケール８１から反射される光を、電気的な信号（エンコ
ーダ信号；以下、ＥＮＣ信号とする。）に変換して制御部１００に送信するリニアセンサ
８２と、を有している。
【００５２】
ここで、本実施の形態においては、キャリッジ機構２０には、支持軸に対応するキャリ
ッジ軸２１を揺動させるための揺動機構が設けられていないが、揺動機構を設けるように
しても良い。すなわち、印刷ヘッド３２そのものを図１８のように傾斜させながら、かつ
副走査方向に対して９０度を超える角度を持つ方向に駆動させたり、図１９に示すように
、印刷ヘッド３２のみを傾斜させて駆動するようにしても良い。
【００５３】
＜信号形成部の構成および信号処理の概要について＞
次に、信号形成部９０の構成について説明する。図１０に示すように、信号形成部９０
は、フィルタ９１と、アンプ（ＡＭＰ）９２と、２値化処理部９３とを具備している。こ
れらのうち、フィルタ９１は、信号線９４の一端側と接続されている。信号線９４の他端
側は、上述した受光部６２（受光素子６２３）に接続されている。このため、受光部６２
で発生したアナログ信号は、この信号線９４を介してフィルタ９１に伝達されるが、フィ
ルタ９１では、アナログ信号（図１１参照）のうち所定の帯域以外の周波数成分が除去さ
れる。それにより、図１１に示すようなデジタル信号（レンズ信号；検出信号に相当）が
生成される。
【００５４】
また、フィルタ９１を通過した信号は、ＡＭＰ９２に入力され、所定の電圧等（一例と
して、４０倍等）に増幅される。かかる増幅が為された信号は、続いて２値化処理部９３
に入力され、該入力された信号を、しきい値を超えたか否かで、ＨレベルまたはＬレベル
の２値の信号（２値化信号）とする。この状態で、後述する制御部１００に２値化信号を
入力し、Ｈレベルの信号および／またはＬレベルの信号の切り替わりタイミングを検出す
ることにより、レンズシート１２のレンズピッチが計測可能となる。
【００５５】
＜プリンタの制御部について＞
次に、制御部１００について説明する。制御部１００は、各種の制御を行う部分であっ
て、制御手段および判断部に対応する部分であり、レンズ検出センサ６０、レンズシート
検出のためのレンズシート検出センサ６３（図６参照）、ギャップ検出センサ７０、リニ
アセンサ８２、後述するロータリエンコーダ１３２、プリンタ１０の電源をオン／オフす
る電源ＳＷ等）の各出力信号が入力される。図３に示すように、制御部１００は、ＣＰＵ
１０１、各種のプログラムを記憶するＲＯＭ１０２、データを一時的に蓄えるＲＡＭ１０
３、不揮発性メモリ（ＰＲＯＭ）１０４、ＡＳＩＣ１０５、ヘッドドライバ１０６等を具
備していて、これらがバス１０７を介して接続されている。そして、これらの協働、また
は特有の処理を行う回路を追加する等によって、以下に述べる処理フローが実現される。
【００５６】
なお、以下の図１２、図１４および図１６における処理フローを実行する構成は、ハー
ドウェア的に実現されても良く、またソフトウェア的に実現されても良い。
【００５７】
また、図４に示すように、プリンタ１０は、制御部１００と接続されるインターフェー
ス１３１を具備している。このインターフェース１３１を介して、プリンタ１０は、コン
ピュータ１３０に接続されている。また、プリンタ１０は、ロータリエンコーダ１３２を
具備している。ロータリエンコーダ１３２は、上述のリニアエンコーダ８０とは異なり、
スケール１３２ａが円盤状とされている。しかしながら、それ以外の構成は、リニアエン
コーダ８０と同様となっている。
【００５８】
＜印刷を行うための基本的な処理フローについて＞
以上のような構成のプリンタ１０を用いて、レンズシート１２に対して印刷を行うため
の基本的な処理フローを、図１２に基づいて説明する。
【００５９】
プリンタ１０の電源オン状態で、最初にレンズシート１２の凸レンズ１２Ａ１が、傾斜
しているか否かを判断する（ステップＳ１０；情報獲得工程に対応）。この判断を行うこ
とにより、後述する印刷データが、凸レンズ１２Ａ１の傾斜に対応させて形成すべきか（
凸レンズ１２Ａ１の長手が副走査方向に対して傾斜しているか）、または通常のレンズシ
ート１２への印刷のように凸レンズ１２Ａ１の長手が副走査方向に沿うかが定まる。この
判断において、Ｙｅｓの場合（凸レンズ１２Ａ１の長手が傾斜している場合）、ステップ
Ｓ２０に進行する。また、Ｎｏの場合（凸レンズ１２Ａ１の長手が副走査方向に沿ってい
る場合）、後述するステップＳ５０に進行する。
【００６０】
上述のステップＳ１０においてＹｅｓの場合、続いて、傾斜角度（図２における傾斜角
度θ）がどれぐらいか、算出する処理を行う（ステップＳ２０）。この算出は、例えば図
１２に示すように、地点Ａと、この地点Ａに対して副走査方向に沿って所定距離だけ離間
している地点Ｂとの間の距離Ｑを計測する。また、副走査方向に垂直な方向、すなわち凸
レンズ１２Ａ１の横断方向に沿う直線上の地点Ａに対する右隣または左隣のいずれか（図
１３（Ａ）では右隣）に存在する谷部分までの距離ＡＬと、上述の横断方向上の地点Ｂに
対する右隣または左隣のいずれか（図１３（Ａ）では右隣）に存在する谷部分までの距離
ＢＬとを計測する。そして、これら距離ＡＬ，ＢＬおよび距離Ｑの計測が終了した後に、
続いて、傾斜角度θの計算を行う。「θ」を度で表す場合、傾斜角度θは、θ＝ＡＴＡＮ
（Δ／Ｑ）×１８０／πによって求められる。なお、Δは、距離ＢＬと距離ＡＬとの間の
差分である。以上のようにして、凸レンズ１２Ａ１の傾斜角度θが算出される。
【００６１】
上述の傾斜角度θの算出の後に、傾斜角度θの情報を反映させて、印刷すべき印刷デー
タを作成する処理を行う（ステップＳ３０；以下、ステップＳ５０まで印刷工程に対応）
。この処理により、印刷データが作成されると、印刷を実行する（ステップＳ４０）。ま
た、上述のステップＳ１０の判断において、Ｎｏの場合（凸レンズ１２Ａ１の長手が副走
査方向に沿っている場合）、凸レンズ１２Ａ１が傾斜していない状態の、印刷データを作
成する処理を行う（ステップＳ５０）。
【００６２】
なお、ステップＳ５０においては、レンズ解像度（凸レンズ１２Ａ１の本数）と、印刷
解像度、印刷サイズに応じて、解像度変換が為され複数枚の原画像データが合成された後
の目視画像データにおける画像サイズの計算（通常は、原画像データの圧縮となる）が行
われる。次に、個々の凸レンズ１２Ａ１内の画素数Ｒを求める。画素数Ｒは、個々の凸レ
ンズ１２Ａ１内に打てるドット数に対応する。次に、個々の凸レンズ１２Ａ１内における
、１画像データ当たりの画素数（ドット数）Ｌを求める。この画素数Ｌは、ドット数Ｌを
、原画像データの枚数で除算することにより、求められる。以上のようにして、解像度変
換がなされ、かかる解像度変換を、原画像データのそれぞれに対して行う。そして、定め
られている順番（目視角度順）に、解像度変換後の細分化された圧縮原画像データを並べ
て配置する。それにより、１つの凸レンズ１２Ａ１内に配置される、短冊状の細分化画像
データが作成される。
【００６３】
また、作成された細分化画像データを、凸レンズ１２Ａ１の短手方向の並びの順に配置
することにより、複数の原画像データの情報が反映された、目視画像データが作成される
。なお、この後に、色変換処理を実行し、目視画像データのＲ，Ｇ，Ｂ系で表現される色
成分が、プリンタ１０で印刷および／または表現可能なシアン（Ｃ），マゼンタ（Ｍ），
イエロー（Ｙ），ブラック（Ｋ）系の色成分に変換される。さらに、色変換が為された目
視画像データに対して、ハーフトーン処理が行われる。ここで、ハーフトーン処理とは、
原画像データの階調値（本実施の形態では２５６階調）をプリンタ１０が画素毎に表現可
能な階調値に減色する処理をいう。ここで、「減色」とは、色を表現する階調の数を減ら
すことをいう。なお、具体的には、記録率テーブルを参照して、例えば、「ドットの形成
なし」、「小ドットの形成」、「中ドットの形成」、および「大ドットの形成」の４階調
への減色を行う。なお、このハーフトーン処理においては、誤差拡散法、ディザ法といっ
た手法を用いて、ドットの分散処理が行われる。
【００６４】
さらに、ハーフトーン処理が為された画像データから、印刷データを生成する処理が実
行される。ここで、印刷データとは、各主走査時のドットの記録状態を示すラスタデータ
と、副走査送り量を示すデータとを含むデータであり、分散テーブルの分散データを参照
して作成される。なお、印刷データは、通常の印刷データに対し、鏡像反転させられたデ
ータとなっている。以上が、プリンタ１０による印刷を行う際の、基本的な処理フローで
ある。
【００６５】
＜凸レンズ１２Ａ１が傾斜している場合の印刷データ作成の処理フローについて＞
続いて、上述のステップＳ１０の判断において、凸レンズ１２Ａ１が傾斜していると判
断された場合（Ｙｅｓの場合）に、ステップＳ３０にて行う印刷データを作成するための
処理について、図１４に基づいて説明する。
【００６６】
最初に、作成される印刷データが、連続画素配置に対応するか、または離間画素配置に
対応するかを判断する（ステップＳ３０１）。ここで、連続画素配置とは、図１５に示す
ように、各視差に対応する、原画像データを圧縮して得られる圧縮原画像データを構成す
る画素データが、凸レンズ１２Ａ１の長手方向に沿って連続的（列状）に配置される状態
をいう。これに対して、離間画素配置とは、図１６に示すように、各視差に対応する上述
の圧縮原画像データを構成する画素が、凸レンズ１２Ａ１の長手方向に沿って配置される
ものの、連続的（列状）ではなく、他の画素データを挟んで離間した状態で配置される状
態をいう。なお、印刷データが連続画素配置に対応させるか、または離間画素配置に対応
させるかは、原画像データの数（視差数）によって判断するようにしても良い。しかしな
がら、例えば画質等、他の要素によって判断するようにしても良い。
【００６７】
図１５に示す連続画素配置では、４つの画像１，２，３，４の画素は１次元的に配置さ
れている。すなわち、画像１の画素１ａ1、画像２の画素２ａ1、画像３の画素３ａ1、画
像４の画素４ａ1が主走査方向に、一列に並んで配置されると共に、その後の画素１ａ2，
２ａ2，３ａ2，４ａ2，・・・も同じ関係を保ちながら副走査方向に伸びている。画素１
ａ系で１つの凸レンズ１２Ａ１中の１つの部分視差画像を形成し、画素１ａ系、１ｂ系、
・・・で、１つの細分化視差画像を形成している。
【００６８】
図１６に示す離間画素配置では、６つの画像１，２，３，４，５，６の画素は２次元的
に配置されている。すなわち、画像１の画素１ａ1の右隣に画像３の画素３ａ1、その右隣
に画像５の画素５ａ1を配置し、画像１の画素１ａ1の副走査方向（図１６では、下側）に
画像６の画素６ａ1、その右隣に画像２の画素２ａ1、その右隣に画像４の画素４ａ1が配
置されている。この場合も、画素１ａ系で１つの凸レンズ１２Ａ１中の１つの部分視差画
像を形成し、画素１ａ系、１ｂ系、・・・で、１つの細分化視差画像を形成している。図
では、画素３ａ系の部分視差画像を斜線で示している。ここで、太い点線の小さい四角部
分１２Ｂは、視差画像の配置領域（＝視差領域）を示し、太い実線部分１２Ｃは、視差数
分の視差領域（以下、視差域と呼ぶ。）を示し、斜めに伸びる細い点線部分１２Ｄは、視
差境界のイメージラインを示している。また、斜めに伸びる実線部分１２Ｆは、各凸レン
ズ１２Ａ１の物理的境界を示している。
【００６９】
ここで、離間画素配置の方が、図１５に示す連続画素配置よりも、目視可能（配置可能
）な原画像データの枚数が多くなる。すなわち、視差数を多くしやすいものとなる。これ
は２次元配置の利点である。なお、離間画素配置や連続画素配置においては、共に目視す
る際のレンズシート１２の回転は、基準方向Ｌ（この方向が、基準軸方向および回転軸方
向に相当）を基準としていて、ユーザの目も、基準方向Ｌを基準としている。
【００７０】
なお、離間画素配置では、レンズシート１２を連続的に回転させる場合、目視される画
素は、例えばマトリクス状の配置の画素が、連続的に切り替えられる。また、本実施の形
態では、ユーザがレンズシート１２を通して目視する絵柄は、立体画像に対応している。
そのため、各画素は近似しており、上述のような離間画素配置を採用しても、ユーザは良
好に目視可能となっている。なお、目視される画像としては、立体画像ではなく、見る角
度を変えて動く画像（アニメーション）としても、同様に、ユーザは良好に目視可能とな
る。これは、図１６に示すように、離間画素配置においても、例えば画素１ａ，１ｂ，・
・・と画素２ａ，２ｂ，・・・と画素３ａ，３ｂ，・・・等は、共に、基準方向Ｌに対し
て同一の角度となるためである。
【００７１】
上述のステップＳ３０１の判断において、Ｙｅｓの場合（連続画素配置に対応する場合
）、続いて各圧縮原画像データの回転処理を行う（ステップＳ３０２）。この回転処理に
おいては、上述のステップＳ２０において検出された、傾斜角度θの分だけ、各圧縮原画
像データを回転させる処理を行う。次に、連続画素配置に対応する一時画像データを作成
する（ステップＳ３０３）。この場合、回転処理が為された各圧縮原画像データに対して
、紙送り方向に対応する方向に沿って、凸レンズ１２Ａ１のレンズピッチに対応させて、
細分化する。なお、細分化に先立って、本実施の形態では、解像度変換処理を行い、原画
像データに対して、画像データの圧縮を経て、各圧縮原画像データを得る。そして、この
圧縮原画像データから短冊状の細分化画像データを作成する。次に、短冊状の細分化画像
データを、目視時に切り替わる順番で配置する。このようにして、一時画像データが得ら
れる。
【００７２】
続いて、ステップＳ３０３で作成された一時画像データに対して、先のステップＳ３０
２とは逆向きに、同一の回転角度θだけ回転させる、逆回転処理を行う（ステップＳ３０
４；このとき作成される画像データを、視差画像データとする。）。この逆回転により、
それぞれの原画像データに対応する細分化画像データの境界が、凸レンズ１２Ａ１の長手
に沿う状態となる。
【００７３】
上述のステップＳ３０４で作成された視差画像データに対して、上述と同様のハーフト
ーン処理を行う（ステップＳ３０５）。なお、ハーフトーン処理は、複数の圧縮原画像デ
ータの個々に対し行う等、ステップＳ３０４よりも前の段階で行うようにしても良い。ハ
ーフトーン処理が為された画像データから、印刷データを生成する処理が実行され、処理
が終了する。ここで、印刷データとは、各主走査時のドットの記録状態を示すラスタデー
タと、副走査送り量を示すデータとを含むデータであり、分散テーブルの分散データを参
照して作成される。なお、印刷データは、通常の印刷データに対し、鏡像反転させられた
データとなっている。
【００７４】
また、上述のステップＳ３０１において、離間画素配置に対応すると判断される場合、
次に、印刷を行うプリンタ１０が、斜め吐出に対応しているか否か（上述の揺動機構を備
えるか否か、または揺動機構を備える場合には、それが使用可能な状態であるか否か）を
判断する（ステップＳ３１０）。ここで、斜め吐出とは、ノズル列３３が紙送り方向に沿
う列とはならず、凸レンズ１２Ａ１の傾斜角度θに対応する角度だけ傾斜している状態（
図１８、図１９参照）をいう。
【００７５】
また、上述のステップＳ３１０の判断において、斜め吐出に対応していると判断される
場合、続いて、斜め吐出に対応した視差画像データを作成する（ステップＳ３１１）。ス
テップＳ３１１によって、斜め吐出用の目視画像データが作成されると、続いて上述のス
テップＳ３０５に示すハーフトーン処理に移行する。なお、斜め吐出に対応していないプ
リンタ１０の場合、このステップＳ３１０とＳ３１１が省略された処理フローとすること
が好ましい。
【００７６】
また、上述のステップＳ３１０において、プリンタ１０が斜め吐出に対応していないと
判断される場合（Ｎｏの場合）、上述したステップＳ３０２と同様の、各圧縮原画像デー
タの回転処理を行う（ステップＳ３１２）。この回転処理においても、凸レンズ１２Ａ１
の傾斜角度θの分だけ、各圧縮原画像データを回転させる処理を行う。
【００７７】
ステップＳ３１２の次に、離間画素配置に対応する一時画像データを作成し、視差画像
となる目視画像データを作成する（ステップＳ３１３）。このとき、上述のステップＳ３
０３と同様に、回転処理が為された各圧縮原画像データに対して、紙送り方向に対応する
方向に沿って、凸レンズ１２Ａ１のレンズピッチに対応させて、細分化する。なお、細分
化の処理に先立ち、離間画素配置に対応させて、紙送り方向においても、各原画像データ
を圧縮する処理を行う。この場合、凸レンズ１２Ａ１の長手方向に沿って配置される細分
化画像データの個数に応じて、各原画像データが圧縮される。そして、この圧縮が終了し
た後に、圧縮後の各圧縮原画像データを、凸レンズ１２Ａ１と、それぞれの圧縮原画像デ
ータにおける画素データとを、１つずつ並べてマトリクスを形成することにより、マトリ
クス状の細分化画像データが得られる。このようにして、一時画像データが作成される。
【００７８】
この一時画像データが作成された後に、当該一時画像データに対して、先のステップＳ
３１２とは逆向きに、同一の回転角度だけ回転させる、逆回転処理を行う（このとき作成
される画像データは、目視画像データに対応）。この逆回転により、それぞれの原画像デ
ータに対応する細分化画像データの境界が、凸レンズ１２Ａ１の長手に沿う状態となり、
離間画素配置に対応する目視画像データが作成される。なお、図１６に示すような２次元
配置（離間画素配置）の場合は、ステップＳ３１２，Ｓ３１３の回転と逆回転の処理は不
要となるが、各凸レンズ１２Ａ１の物理的境界を示す実線部分１２Ｆに沿って、離間画素
が配置される場合は、ステップＳ３１２，Ｓ３１３中の回転と逆回転の処理は必要となる
。
【００７９】
なお、このようにして目視画像データが作成されると、続いて上述のステップＳ３０５
に示すハーフトーン処理に移行する。以上が、凸レンズ１２Ａ１が傾斜している斜めレン
ズシートに印刷を行う際の、印刷データを作成するための処理フローである。
【００８０】
＜印刷を実行する際の処理フローについて＞
続いて、上述のステップＳ１０の判断において、凸レンズ１２Ａ１が傾斜していると判
断された場合（Ｙｅｓの場合）に、印刷を実行するための処理（ステップＳ４０）につい
て、図１７に基づいて説明する。
【００８１】
印刷を実行する場合、まず、目視画像データを基とする印刷データのピッチ調整を行う
（ステップＳ４０１）。このピッチ調整においては、インク滴の吐出に対応するドットの
データが、凸レンズ１２Ａ１の谷間の部分に存在する場合に、いずれかの凸レンズ１２Ａ
１側にそのドットのデータが含まれるように調整する。この場合、ドットのデータが跨る
割合に応じて、いずれかの凸レンズ１２Ａ１側に含まれるように、調整する。なお、この
ピッチ調整は、ステップＳ３０３やステップＳ３１３の中で行うようにしても良い。また
、凸レンズ１２Ａ１を跨るドットの場合、どちらの凸レンズ１２Ａ１に入るかを調整する
ピッチ調整は、後述するＥＮＣ信号での吐出のみに使用し、後述するレンズ信号での吐出
には使用しない。なぜなら、レンズ吐出は、どの凸レンズ１２Ａ１でも、同じドット数を
吐出するからであり、もし調整してしまうと、ピッチが合わなくなるからである。よって
、ピッチ調整がされた場合には、必ず、ＥＮＣ信号での吐出となる。次に、レンズシート
１２のシート端１２Ｅｔを基準として、インク滴を吐出するか否かを判断する（ステップ
Ｓ４０２）。この判断において、シート端１２Ｅｔを基準としてインク滴を吐出する場合
（Ｙｅｓの場合）には、ＥＮＣ信号に基づいて、インク滴を吐出する設定とする（ステッ
プＳ４０３）。ここで、ＥＮＣ信号を基準とする場合とは、レンズピッチが正確である等
、一定の条件を満たす場合である。
【００８２】
また、上述のステップＳ４０２の判断において、シート端１２Ｅｔを基準とせずに、イ
ンク滴を吐出する場合（Ｎｏの場合）には、レンズ信号を基準として、インク滴を吐出す
る設定とする（ステップＳ４０４）。この場合、上述のレンズ検出センサ６０を用いて、
レンズシート１２のレンズピッチを検出しながら、印刷を実行する状態となる。
【００８３】
また、上述のステップＳ４０３、ステップＳ４０４における設定が終了した後に、続い
て、上述のステップＳ３１０と同様に、プリンタ１０が斜め吐出に対応しているか否か（
上述の揺動機構を備えるか否か、または揺動機構を備える場合には、それが使用可能な状
態であるか否か）を判断する（ステップＳ４０５）。この判断において、プリンタ１０が
斜め吐出に対応していると判断される場合（Ｙｅｓの場合）、続いて、斜め吐出に対応す
る設定とする（ステップＳ４０６）。また、上述のステップＳ４０５において、プリンタ
１０が斜め吐出に対応していないと判断される場合（Ｎｏの場合）、斜め吐出ではなく、
通常の吐出に対応する設定とする（ステップＳ４０７）。なお、斜め吐出に対応していな
いこのプリンタ１０の場合、ステップＳ４０５とＳ４０６が省略された処理フローとする
ことが好ましい。
【００８４】
そして、上述のステップＳ４０６およびステップＳ４０７での設定が為された後に、各
設定に対応する印刷を実行する（ステップＳ４０８）。
【００８５】
ここで、各設定に対応する印刷の例を述べる。例えば、キャリッジ軸２１の一端側をス
ライドさせることが可能な揺動機構を具備する場合、図１８に示すように、印刷に際して
は、紙送り方向に対して、印刷ヘッド３２の走査方向が直交しておらず、しかも、レンズ
シート１２の凸レンズ１２Ａ１の長手が、ノズル列３３の長手と一致する方向となってい
る。この場合、インク滴の吐出のタイミングは、レンズ信号を基準とする状態となる。そ
のため、レンズピッチに応じて、インク滴の吐出タイミングを調整しながら、印刷を実行
することになる。
【００８６】
なお、図１８に示す状態においては、ノズル列３３の長手が紙送り方向に沿う状態にお
ける紙送り量をＬとすると、紙送り量Ｗ＝Ｌｃｏｓθとなる。この紙送り量でＰＦモータ
４１を駆動すると共に、レンズ信号をトリガとしてインク滴を吐出すれば、図２に示すよ
うな斜めレンズシートとなるレンズシート１２に対して、良好な印刷を実行することがで
きる。なお、図１８において、レンズピッチが正確である場合であって、レンズ信号とＥ
ＮＣ信号との整合性が良好である等の場合には、シート端１２Ｅｔを検出した後に、ＥＮ
Ｃ信号を基準として、印刷を実行するようにしても良い。
【００８７】
また、例えばキャリッジ軸２１が固定的であると共に、このキャリッジ軸２１に対して
印刷ヘッド３２が揺動する揺動機構を備える場合、図１８に示す場合とは異なり、凸レン
ズ１２Ａ１内に配列されるインク滴のドットは、正方形状とはならなく、図１９に示すよ
うな平行四辺形を形成する状態でドットがレンズシート１２に付着する。このため、イン
ク滴の吐出に対応する印刷データを作成する場合、かかる平行四辺形状のドット配置に対
応させるように、印刷データを作成する。この場合、レンズ信号のエッジを基準としてド
ットを形成する場合、印刷ヘッド３２の走査方向に沿って数ドット進行すると、図１９に
おけるドット配置では、図１８におけるドット配置よりも一つだけ紙送り方向において隣
に位置する画素データに対応させて、インク滴を吐出する状態となる。
【００８８】
なお、図１９に示す場合、印刷ヘッド３２の主走査方向は、凸レンズ１２Ａ１の幅方向
に対して、若干傾斜しているため、主走査方向に沿う凸レンズ１２Ａ１の横断距離は、凸
レンズ１２Ａ１の幅方向よりも長い。そのため、印刷ヘッド３２は、１つの凸レンズ１２
Ａ１につき、打てるドットの数を多くすることができる。
【００８９】
さらに、揺動機構を具備せずに、印刷ヘッド３２の制御駆動のみで印刷を行う場合にお
いて、個々のノズル３３ａにおいてインク吐出のタイミングを独自に調整可能であれば、
図２０において示すように、平行四辺形状のドット配置で印刷を実行することができる。
この方法で印刷を行う場合については後述する。なお、この場合も、インク吐出は、レン
ズ信号をトリガとして吐出する状態となる。
【００９０】
＜補完レンズ信号の生成について＞
ところで、図２１（Ａ）に示すように、図中矢印方向に搬送されるレンズシート１２に
対して、キャリッジ３０が、副走査方向の地点（１），（２），（３）から主走査方向に
移動したときのレンズ信号は、図２１（Ｂ）に示すようになる。レンズ信号（１）は、地
点（１）におけるレンズ信号を示す。レンズ信号（２）は、地点（２）におけるレンズ信
号を示す。また、レンズ信号（３）は、地点（３）におけるレンズ信号を示す。
【００９１】
レンズ信号（１），（２），（３）から判るように、最初に出力されるレンズシート１
２のシート端１２Ｅｔの部分のレンズ信号は、シート端１２Ｅｔに沿う位置にある凸レン
ズ１２Ａ１（凸レンズ１２Ａ１１）が、シート端１２Ｅｔの外側において欠損しているこ
とにより、凸レンズ１２Ａ１があるにも関わらず、パルスが現れなかったり（レンズ信号
（１））、パルス幅が狭くなってしまっている（レンズ信号（２），（３））。
【００９２】
レンズ信号（２），（３）に現れている当該狭いパルス幅のパルスを基準にしてインク
滴を吐出すると、当該狭いパルス幅に、通常の幅の凸レンズ１２Ａ１の１本分の吐出信号
が印字信号として存在することになり、インク滴を吐出した場合に、ドットが詰め込まれ
る状態となる。そのため、目視される絵柄も、横方向に圧縮された状態となるか、または
インク滴の混じり合いにより、にじんだような状態となり、好ましくない画像が印刷され
てしまう。
【００９３】
そこで、以下に説明するように、シート端１２Ｅｔにおいて凸レンズ１２Ａ１が欠損し
ていても、この凸レンズ１２Ａ１に対応するパルスの幅を、主走査方向の他のタイミング
におけるパルス幅と同じ幅とした補完レンズ信号を生成し、この補完レンズ信号に基づい
てインク滴を吐出することにより、好ましくない画像の印刷が行われないようにする。図
２２（Ａ）には、図２１に示されるレンズ信号（１），（２），（３）に対する補完レン
ズ信号が、補完レンズ信号（１’），（２’），（３’）として示されている。
【００９４】
図２３に、レンズ信号から、補完レンズ信号、擬似ＥＮＣ信号および吐出信号を生成し
、インク滴の吐出制御を行うレンズ信号処理制御部１１０の概略構成を示す。このレンズ
信号処理制御部１１０においては、先ず、補完レンズ信号生成部１１１においてバッファ
１１２を利用しながらレンズ信号から補完レンズ信号を生成する。そして、擬似ＥＮＣ信
号生成部１１３において、補完レンズ信号から、ＥＮＣ信号を利用して擬似ＥＮＣ信号に
生成する。そうして、吐出制御部１１４において、擬似ＥＮＣ信号からインクを吐出する
ための吐出信号を生成する。
【００９５】
補完レンズ信号生成部１１１におけるレンズ信号の補完処理について、レンズ信号（３
）を、例に採って、図２４の処理フローおよび図２５などを参照しながら説明する。なお
、レンズ信号（１），（２）においても、レンズ信号（３）について行われる処理と同様
の処理が行われる。ここでは代表例として、レンズ信号（３）のみ図２５に取り出し、説
明することとする。レンズ信号（３）は、図２５（Ａ）に示すように、パルスＰ1，Ｐ2，
Ｐ3，…，Ｐn-2，Ｐn-1，Ｐnが、図２１（Ａ）に示すレンズシート１２の凸レンズ１２Ａ
１１，１２Ａ１２，１２Ａ１３，１２Ａ１４，…，１２Ａ１（ｎ−２），１２Ａ１（ｎ−
１），１２Ａ１ｎに対応するパルスとなっている。
【００９６】
補完レンズ信号の生成に当たっては、先ず、レンズ信号（３）の隣り合うパルスのポジ
ティブエッジ（立上がり部）の間隔を、クロック信号のクロック数により計数し、この計
数値を凸レンズ１２Ａ１の配設間隔とする（ステップＳ５００）。最初に検出される凸レ
ンズ１２Ａ１１は、レンズシート１２のシート端１２Ｅｔ側が欠損したレンズであるため
、レンズ幅が狭く検出される。したがって、最初のパルスＰ1と凸レンズＡ１２を検出し
たパルスＰ2のポジティブエッジの間隔は、他のパルス間、たとえばパルスＰ2とＰ3のポ
ジティブエッジの間隔に比べて狭くなっている。つまり、最初の凸レンズ１２Ａ１１と次
の凸レンズ１２Ａ１２とのクロック数における間隔は７００となっている。２番目以降の
凸レンズ１２Ａ１２，１２Ａ１３，…については、凸レンズ１２Ａ１が完全な形で存在す
るため、隣接する凸レンズ１２Ａ１同士のクロック数における間隔は１０００となってい
る。凸レンズ１２Ａ１ｎについても、シート端１２Ｅｅの外側が欠損しているため、パル
スＰnの幅は、他のパルスに比べ、狭くなっているが、前のパルスＰn-1との間隔（配設間
隔）は、それ以前と同様、１０００となっている。シート端１２Ｅｅは、レンズシート１
２の主走査方向への印刷方向における印刷が終了する側のシート端である。
【００９７】
クロック数として計数された凸レンズ１２Ａ１の配設間隔は、キャリッジ３０の移動に
従って順次バッファ１１２に記録していく（ステップＳ５００）。この際、レンズ信号（
３）の最初に検出されたパルスＰ1については、上述したように、レンズシート１２のシ
ート端１２Ｅｔの部分にある凸レンズ１２Ａ１１であり、欠損しているので、ポジティブ
エッジ信号のバッファ１１２への記録は行わない。他のレンズ信号（１），（２）につい
ても同様に、最初に検出されたパルスについては、レンズシート１２のシート端１２Ｅｔ
の部分にある凸レンズ１２Ａ１１であり、欠損している可能性があるので、バッファ１１
２へのポジティブエッジ信号の記録は行わないようにする。
【００９８】
バッファ１１２への凸レンズ１２Ａ１の配設間隔の記録は、図２５（Ｂ）に示すように
行われる。図２５（Ｂ）は、上から下に向う方向がキャリッジ３０の進行方向に対応して
いる。バッファ１１２は、５本分の凸レンズ１２Ａ１についての配設間隔がクロック信号
の計数値として記録できるようになっている。図２５（Ｂ）は、凸レンズＡ１２と凸レン
ズＡ１３の間隔と凸レンズＡ１３と凸レンズＡ１４の間隔がクロック数１０００として記
録され、さらに、凸レンズＡ１４と凸レンズＡ１５の間隔が計測中である状態を示してい
る。
【００９９】
そして、所定本数の凸レンズ１２Ａ１を検出したところで（ステップＳ５１０）、バッ
ファ１１２内に記録されている凸レンズ１２Ａ１の配設間隔に基づき、補完レンズ信号（
３’）を生成する（ステップＳ５２０）。所定本数は、所定本数の凸レンズ１２Ａ１の幅
が、印刷ヘッド３２とレンズ検出センサ６０の受光部６２との間隔よりも狭くなるように
設定する必要がある。その理由は、少なくとも印刷ヘッド３２が、レンズシート１２のシ
ート端１２Ｅｔに到達する前に補完レンズ信号を生成し、インクの吐出に備える必要があ
るからである。本実施の形態では、レンズ信号（３）の４個目のポジティブエッジが検出
されるのを待って、補完レンズ信号の生成処理（ステップＳ５２０）を行うようにしてい
る。
【０１００】
補完レンズ信号（３’）の生成は、バッファ１１２に記録されている凸レンズ１２Ａ１
の配設間隔に基づいて行う。クロック数１０００の配設間隔の最初の半分（５００）はＨ
ｉの信号として、後の半分（５００）は、Ｌｏの信号として、図２５（Ｃ）に示す補完レ
ンズ信号（３’）を生成する。そして、この補完レンズ信号（３’）は、欠損している可
能性があるとして、バッファ１１２に記録されなかったレンズ信号（３）のパルスＰ1の
代わりに、点線で示されるパルスＰ1’が補完されている。本実施の形態では、補完され
たパルスＰ1’は、パルスＰ2’を用いている。なお、パルスＰ2’はパルスＰ2に対応し、
パルスＰ3’はパルスＰ3に対応している。また、パルスＰ4’はパルスＰ4に対応している
。
【０１０１】
この後、キャリッジ３０がシート端１２Ｅｅに向かって移動するのに合わせて検出され
るレンズ信号（３）に基づき、補完レンズ信号（３’）を生成する（ステップＳ５２０）
。バッファ１１２は、上述したように５本分の凸レンズ１２Ａ１の配設間隔が記録するよ
うに構成されていて、キャリッジ３０が移動するのに合わせて順次に記録されている凸レ
ンズ１２Ａ１の配設内容を更新していく（ステップＳ５３０）。
【０１０２】
キャリッジ３０が、レンズシート１２のシート端１２Ｅｔからシート端１２Ｅｅの側に
向かって移動すると、凸レンズ１２Ａ１１，１２Ａ１２，１２Ａ１３，１２Ａ１４，…，
１２Ａ１（ｎ−２），１２Ａ１（ｎ−１），１２Ａ１ｎに合わせて、図２５（Ａ）に示さ
れるようにパルスＰ1，Ｐ2，Ｐ3，Ｐ4，…，Ｐn-2，Ｐn-1，Ｐnのレンズ信号（３）が出
力される。そして、このレンズ信号（３）に基づいて、図２５（Ｃ）に示される、補完レ
ンズ信号（３’）が生成されることになる。補完レンズ信号（３’）のパルスＰ1’，Ｐ2
’，Ｐ3’，Ｐ4’，…，Ｐn-2’，Ｐn-1’，Ｐn’は、それぞれレンズ信号（３）のパル
スＰ1，Ｐ2，Ｐ3，Ｐ4，…，Ｐn-2，Ｐn-1，Ｐnに対応している。
【０１０３】
キャリッジ３０が、レンズシート１２のシート端１２Ｅｅ側まで移動したかどうかは次
のようにして判断する。図２６に、レンズシート１２のシート端１２Ｅｅにおける印刷ヘ
ッド３２、レンズ検出センサ６０の受光部６２、凸レンズ１２Ａ１の位置関係を示す。キ
ャリッジ３０が、シート端１２Ｅｔの側からシート端１２Ｅｅの側に移動して、レンズ検
出センサ６０が、レンズシート１２のシート端１２Ｅｅにある凸レンズ１２Ａ１ｎを越え
ると、その後には凸レンズ１２Ａ１が存在しないため、レンズ信号（３）の出力はなくな
る。そこで、凸レンズ１２Ａ１ｎのレンズ信号（３）のパルスＰnが検出された後、所定
の距離をキャリッジ３０が移動しても、レンズ信号（３）が検出されない場合は、レンズ
検出センサ６０は、レンズシート１２のシート端１２Ｅｅを検出したと判断する。その所
定の距離は、例えば、この凸レンズ１２Ａ１ｎの直前に検出された凸レンズ１２Ａ１（ｎ
−１）との間隔の１．５倍に相当する距離とする。この距離をキャリッジ３０が移動して
も、レンズ信号（３）が検出されない場合に、キャリッジ３０が、受光部６２の位置にお
いてレンズシート１２のシート端１２Ｅｅを越える位置に移動したと判断する（ステップ
Ｓ５４０）。
【０１０４】
レンズシート１２のシート端１２Ｅｅにおいても、図２６に示すように、凸レンズ１２
Ａ１ｎが欠損している場合がある。この場合も、シート端１２Ｅｔにける凸レンズ１２Ａ
１１が欠損しているときと同様に、レンズ信号のパルス幅が狭いパルスＰnが生じること
になる。そして、当該狭いパルス幅に、通常の幅の凸レンズ１２Ａ１の１本分の吐出信号
が存在すると、インク滴を吐出した場合に、ドットが詰め込まれる状態となり、目視され
る絵柄が好ましくないものとなる。
【０１０５】
そこで、レンズ検出センサ６０の受光部６２が、レンズシート１２のシート端１２Ｅｅ
に到達したと判断された場合には（ステップＳ５４０）、図２５（Ｃ）に示す補完レンズ
信号（３’）のように、凸レンズ１２Ａ１ｎに対応するパルスＰn’として、凸レンズ１
２Ａ１ｎの直前にある凸レンズ１２Ａ１（ｎ−１）とのレンズ間隔に対応するパルスＰn-
1’を用いて補完処理を行う。
【０１０６】
以上のようにして、補完レンズ信号（３’）は生成される。そして、補完レンズ信号（
３’）に基づいてインク滴を吐出することによりレンズ信号（３）に幅が狭いパルスがあ
っても、他の部分と同程度の印刷品質を確保できる。
【０１０７】
補完レンズ信号（３’）は、キャリッジ３０が移動するのに合わせてレンズ信号（３）
に基づいて生成されていく。そして、印刷ヘッド３２が、レンズシート１２のシート端１
２Ｅｔに到達するのに合わせて、補完レンズ信号（３’）に基づいて生成されるインクの
吐出信号に基づいてインク滴の吐出を開始する。
【０１０８】
本実施の形態においては、図６に示すように、キャッリジ３０に設けられていると受光
部６２は、印刷ヘッド３２よりも主走査方向に先行する位置に配設されている。したがっ
て、レンズ信号（３）が検出されてから、受光部６２と印刷ヘッド３２の距離Ｔ分をキャ
リッジ３０が移動したときに、インク滴の吐出が開始されることになる。なお、レンズ検
出センサ６０の受光部６２は、印刷ヘッド３２よりも主走査方向において先行させて配設
する必要がある。それは、レンズ検出センサ６０からレンズ信号（３）が出力されてから
、補完レンズ信号（３’）を生成し、そしてこの補完レンズ信号（３’）に基づいて後述
するように吐出信号を生成した後、この吐出信号に基づいてインク滴の吐出を行うため、
レンズ信号（３）の出力からインク滴の吐出までにはタイムラグがあるからである。
【０１０９】
補完レンズ信号生成部１１１でキャリッジ３０の移動に従って順次生成される補完レン
ズ信号（３’）は、生成されるのに合わせて擬似ＥＮＣ信号生成部１１３に出力され、擬
似ＥＮＣ信号として生成される。この擬似ＥＮＣ信号は、補完レンズ信号（３’）をＥＮ
Ｃ信号の解像度に合わせて定倍して擬似ＥＮＣ信号として生成する。例えば、レンズの配
設ピッチが４５ｌｐｉであり、ＥＮＣ信号の解像度が１８０ｄｐｉであるときは、補完レ
ンズ信号（３’）の周期を、ＥＮＣ信号の解像度に合わせるため、補完レンズ信号（３’
）の周期を４倍（１８０÷４５）にした信号を擬似ＥＮＣ信号とする。
【０１１０】
そして、さらに、この擬似ＥＮＣ信号に基づいて、吐出制御部１１４において、インク
の吐出信号を生成する。この吐出信号に基づいてインク滴の吐出が行われる。この吐出信
号は、擬似ＥＮＣ信号を印字解像度に合わせて定倍して吐出信号として生成する。例えば
、印字解像度が１４４０ｄｐｉであれば、擬似ＥＮＣ信号の周期を、印字解像度に合わせ
るため、８倍（１４４０÷１８０）した信号を吐出信号とする。
【０１１１】
プリンタ１０は、キャリッジ３０を主走査走行へ移動させながら、このキャリッジ３０
の移動に従って出力される上述の吐出信号により、インク滴をレンズシート１２の所定位
置に吐出することで、印刷を実行する。
【０１１２】
ところで、先に説明したように、レンズ検出センサ６０の受光部６２は、印刷ヘッド３
２に対して、キャリッジ３０の移動方向に先行した位置に配設されている。そのため、印
刷ヘッド３２は、レンズ検出センサ６０により検出された凸レンズ１２Ａ１に、検出され
た時点よりも遅れて到達する。したがって、印刷ヘッド３２が吐出信号に対応する凸レン
ズ１２Ａ１に到達したときに、吐出が行われるようにする必要がある。例えば、レンズ信
号（３）のパルスＰ1に基づいて生成された吐出信号によりインクを吐出するときは、印
刷ヘッド３２が凸レンズ１２Ａ１１に到達したときに吐出させる必要がある。
【０１１３】
そのため、吐出信号による吐出は、受光部６２と印刷ヘッド３２との主走査方向の距離
Ｔに相当する分だけ遅らせる。具体的には、例えば、上述のようにレンズの解像度が４５
ｌｐｉ、ＥＮＣ信号の解像度が１８０ｄｐｉそして印字解像度が１４４０ｄｐｉであれば
、吐出信号の１波長は、０．０１７７ｍｍに相当する。したがって、例えば、受光部６２
と印刷ヘッド３２との距離（間隔）Ｔを１．７７ｍｍに設定すると、吐出信号が出力され
てから１００波長分送れたタイミングで吐出を行うと、吐出信号に対応するレンズシート
１２上の印刷位置と、吐出位置とが一致することになる。
【０１１４】
上述の説明では、簡単のため、受光部６２と印刷ヘッド３２との距離Ｔに基づいて、吐
出信号と吐出のタイミング合わせたが、実際には、印刷ヘッド３２のインクの吐出ノズル
３３ａと受光部６２との間隔が基準となる。また、レンズ信号（３）から吐出信号を生成
するまでの生成時間や、その他のメカ的あるいは電気的なロス時間などを考慮して、吐出
タイミングを決定することになる。
【０１１５】
以上のように、キャリッジ３０が主走査方向に移送して、図２１（Ａ）に示す地点（３
）について、シート端１２Ｅｔからシート端１２Ｅｅに亘って印刷が行われた後、紙送り
機構によりレンズシート１２を副走査方向に送りながら、キャリッジ３０をレンズシート
１２のシート端１２Ｅｔ側に戻す。そして、地点（２），（３）について上述した印刷動
作を行う。つまり、図２１（Ｂ）に示す、レンズ信号（１），（２）から、図２２（Ａ）
に示す補完レンズ信号（１’），（２’）を生成し、さらにこの補完レンズ信号（１），
（２）に基づいて吐出信号を生成して印刷が行われる。
【０１１６】
なお、上述の説明においては、図２１（Ａ）に示すレンズシート１２の副走査方向の途
中にある地点（１），（２），（３）についてのみの印刷動作を説明したが、レンズシー
ト１２の搬送方向の前端側から、レンズシート１２の後端側に向かって、レンズシート１
２の搬送ピッチに毎に、上述した地点（３）について説明したのと同様な印刷動作が行わ
れる。
【０１１７】
ところで、補完レンズ信号は、実際には凸レンズ１２Ａ１が存在しないレンズシート１
２の外側に、あたかも凸レンズ１２Ａ１があるかのように、信号を生成している。したが
って、補完レンズ信号を基準にインク滴を吐出することとすると、レンズシート１２の外
側にインクの吐出が行われ、プラテン５０が汚れてしまうことになる。
【０１１８】
そこで、レンズシート検出センサ６３によりレンズシート１２のシート端１２Ｅｔとシ
ート端１２Ｅｅの検出を行い、印刷ヘッド３２が、レンズシート１２の外側にあるときは
、インク滴の吐出を行わないようにすることが適当である。
【０１１９】
つまり、実際は凸レンズ１２Ａ１の無い位置に印刷ヘッド３２が位置するときにおいて
、吐出信号により、本来はインク滴が吐出されるべきであっても、印刷ヘッド３２がレン
ズシート１２のシート端１２Ｅｔに到達するまでは、インク滴を吐出しないように空打ち
を行う。すなわち、画像データに基づいて吐出信号に従ってインク滴を吐出するところ、
実際にはインク滴の吐出を行わない制御を行う。このように、インク滴の吐出を制御する
ことにより、印刷画像はレンズシート１２の主走査方向の幅に合わせて印刷されることに
なる。
【０１２０】
印刷ヘッド３２が、レンズシート１２のシート端１２Ｅｔに到達したかどうかは次のよ
うに判断する。レンズシート検出センサ６３は、レンズ検出センサ６０の受光部６２と同
様に、印刷ヘッド３２よりも主走査方向に先行する位置に配設されている。従って、レン
ズシート検出センサ６３によりシート端１２Ｅｔが検出されてから、キャリッジ３０が、
レンズシート検出センサ６３と印刷ヘッド３２との主走査方向の距離Ｔを移動したときに
、印刷ヘッド３２が、レンズシート３２のシート端１２Ｅｔに到達したとして、インク滴
の吐出を行うようにする。レンズシート検出センサ６３がシート端１２Ｅｔを検出してか
らのキャリッジ３０の移動距離は、ＥＮＣ信号により計測を行う。なお、本実施の形態に
おいては、レンズシート検出センサ６３とレンズ検出センサ６０は、印刷ヘッド３２に対
して主走査方向の同一の距離Ｔに配設されている。
【０１２１】
また、レンズシート１２のシート端１２Ｅｅにおいても、補完レンズ信号は、実際には
凸レンズ１２Ａ１が存在しない、レンズシート１２の外側に、あたかも凸レンズ１２Ａ１
があるかのように生成されている。したがって、補完レンズ信号を基準にインク滴を吐出
することとすると、レンズシート１２の外側にインクの吐出が行われ、プラテン５０が汚
れてしまうことになる。
【０１２２】
そこで、レンズシート検出センサ６３がシート端１２Ｅｅを検出した後、キャリッジ３
０が、レンズシート検出センサ６３と印刷ヘッド３２との主走査方向の距離Ｔを移動した
ときには、印刷ヘッド３２が、レンズシート３２のシート端１２Ｅｅに到達したとして、
インク滴の吐出を停止するようにする。
【０１２３】
ところで、レンズシート１２のシート端１２Ｅｔの外側においては、インクの吐出は行
われないものの、画像データは消費されている。すなわち、レンズシート１２に対する印
刷が全体的に、シート端１２Ｅｔ側に補完した信号分偏倚して印刷が行われる。したがっ
て、レンズシート１２のシート端１２Ｅｔの反対側のシート端１２Ｅｅにおいては、画像
データがなくなり印刷がされない虞がある。そこで、主走査方向についての画像データを
、レンズシート１２の主走査方向の幅よりも若干大きめに作成しておく。このように画像
データを作っておくことにより、レンズシート１２のシート端１２Ｅｔの外側において画
像データが消費されても、シート端１２Ｅｅにおいて、印刷するための画像データがなく
なってしまうことを防ぐことができる。
【０１２４】
また、補完レンズ信号は、図２２（Ａ）に示す幅Ｙ分だけ、シート端１２Ｅｔ側に偏倚
させておこくことが好ましい。この幅Ｙは、補完レンズ信号のポジティブエッジと凸レン
ズ１２Ａ１の谷間との距離である。補完レンズ信号を、幅Ｙ分だけ、シート端１２Ｅｔ側
に偏倚させ、補完レンズ信号のポジティブエッジと凸レンズ１２Ａ１の谷間の位置を一致
させることにより、各凸レンズ１２Ａ１に対するインク敵の吐出の開始を、凸レンズ１２
Ａ１の凸部の始まる位置に合わせ易くなる。つまり、インク敵の吐出を各凸レンズ１２Ａ
１の幅に正確に合わせて行うことができるようになる。
【０１２５】
ところで、図２１（Ｂ）に示すレンズ信号（１）とこれに対応する図２２（Ａ）に示す
補完レンズ信号（１’）を見て判るように、凸レンズ１２Ａ１１に対応している部分の信
号には、凸レンズ１２Ａ１１が僅かにあるにも関わらず、パルスが現れていない。つまり
レンズの欠損量が大きく、残存している部分が少ないような箇所については、レンズ信号
にパルスが現れず、したがって、補完レンズ信号にもパルスが現れない。そのため、吐出
信号が生成されず、このような部分に対しては、インクの吐出が行われないことになって
しまう。
【０１２６】
そこで、最初に現れるパルスの幅（凸部分と凹部分の合計）が、上述の例で言えば、ク
ロック数にして１０００であれば、レンズシート１２のシート端１２Ｅｔは、残存してい
る部分は少ないが凸レンズ１２Ａ１１が存在していると判断する。そして、図２２（Ｂ）
に示すように、シート端１２Ｅｔ側にクロック数１０００に相当するパルスの信号を２つ
補完した補完レンズ信号（１”）（図中、シート端１２Ｅｔ側に点線で示した信号）を生
成する。
【０１２７】
このようにすることにより、シート端１２Ｅｔの部分に僅かに残存している凸レンズ１
２Ａ１１の部分にも、インクの吐出を行うことができ、レンズシート１２のシート端１２
Ｅｔ一杯に文字や画像を印刷できる。
【０１２８】
このような構成のレンズシート１２、プリンタ１０および印刷方法によれば、レンズシ
ート１２の基準方向Ｌは、凸レンズ１２Ａ１の長手に対して傾斜角度θで傾斜している。
しかも、このレンズシート１２では、外形が長方形または正方形であり、かつ各凸レンズ
１２Ａがシート端Ｅに対して傾いて配置されているので、無駄が出ず、しかも印字幅を稼
ぐことが可能となる。また、このレンズシート１２を回転させると、凸レンズ１２Ａ１の
表面の角度は、凸レンズ１２Ａ１を横切る方向のみならず、レンズシート１２の基準方向
Ｌに沿っても変化する。それにより、視差画像を構成する圧縮原画像データを、横切る方
向に直線状に配置するのみならず、平面状に配置することができ、複数の視差に対応する
視差画像を目視する場合、視差画像の切り替わりが滑らかになり、目視するユーザに自然
な印象を与えることが可能となる。
【０１２９】
また、レンズシート１２は、その外観が矩形状を呈すると共に、シート端１２Ｅｔは基
準方向Ｌに平行に設けられている。それにより、レンズシート１２の基準方向Ｌがシート
端１２Ｅｔに平行となり、ユーザにとって、目視時の基準方向Ｌが分かり易い。また、プ
リンタ１０における紙送り等の動作を行い易くなる。
【０１３０】
また、上述の傾斜角度θは、５度〜１５度の範囲内で傾斜している。このため、レンズ
シート１２を、その基準方向Ｌを基準にして５度〜１５度回転させた場合に、目視画像に
おける画像の切り替わりが良好となり、特に目視画像が立体画像に対応する場合、立体画
像が滑らかに切り替わり、ユーザにとって目視性が良好となる。なお、傾斜角度θは、０
．１度〜４５度の範囲内としても良い。
【０１３１】
また、上述のプリンタ１０のように、地点Ａ、地点Ｂを通るように印刷ヘッド３２を走
査させる等によって、レンズシート１２が、通常のレンズシートであるか、または凸レン
ズ１２Ａ１が傾斜している状態となっているかが判断されるため、傾斜していると判断さ
れた場合でも、通常のレンズシートと区別して、良好に印刷を行わせることができる。す
なわち、凸レンズ１２Ａ１が傾斜していて、このレンズピッチごとに目視画像データに対
応するインク滴を吐出させ、かつ斜め印刷に対応させることができる。
【０１３２】
なお、図１３に示すように、２点においてレンズピッチの計測を行う場合、凸レンズ１
２Ａ１の長手方向の一方向に対する傾斜角度θを適切に算出することが可能となり、凸レ
ンズ１２Ａ１の傾斜角度を考慮して、適切な位置にインク滴を吐出させることが可能とな
る。それにより、凸レンズ１２Ａ１の傾斜角度を考慮せずにインク滴を吐出させる場合の
ように、印刷画像（印刷コンテンツに相当）がずれたり、曲がったりするのを防止するこ
とができる。
【０１３３】
さらに、図２０に示すような、印刷ヘッド３２からのインク滴の吐出を、それぞれのノ
ズル３３ａ毎に制御可能な場合、それぞれのノズル３３ａ毎に、インク滴の吐出のタイミ
ングを調整することができる。このため、凸レンズ１２Ａ１の長手が紙送り方向に対して
傾斜しているレンズシート１２においても、各凸レンズ１２Ａ１のレンズピッチ毎に、視
差に対応する分だけの原画像データが目視画像データに存在し、該傾斜に対応するように
、各ノズル３３ａからインク吐出のタイミングをずらしながら印刷を実行可能となる。そ
れにより、印刷ヘッド３２を揺動させる揺動機構等を有しなくても、凸レンズ１２Ａ１の
傾斜に対応する印刷を良好に行わせることが可能となる。
【０１３４】
また、レンズ信号は、凸レンズ１２Ａ１の幅に応じてパルス幅が異なるパルス信号であ
り、さらに、制御部１００は、レンズ信号の検出により、レンズシート１２のシート端１
２Ｅｔ付近の凸レンズ１２Ａ１の幅が狭いと判断すると、他の部分と同様のパルス幅とな
るように、補完処理を行っている。それにより、狭いパルス幅のレンズ信号に、複数の視
差の視差画像データに対応する印刷データ（ドット）が詰め込まれる状態が解消され、他
の部分と同程度の印刷品質を確保できる。
【０１３５】
また、図１５に示すような連続画素配置を採用する場合、凸レンズ１２Ａ１を横切る方
向に沿って、レンズピッチに対応させて細分化された複数の圧縮原画像データから、視差
画像データが構成される。この場合、凸レンズ１２Ａ１が基準方向Ｌに対して傾斜してい
る場合でも、視差毎の画像の切り替わりが良好となる視差画像を、レンズシート１２に対
して印刷可能となる。また、主走査方向が凸レンズ１２Ａ１の長手方向に対して斜めにな
るため、この主走査方向に沿う距離が若干伸び、着弾させるドット数を増やすことができ
るため、印刷品質を向上させることが可能となる。
【０１３６】
さらに、図１６に示すような離間画素配置を採用する場合、複数の原画像データから形
成される視差画像データは、圧縮および細分化後に、マトリクス状に配置される。それに
より、凸レンズ１２Ａ１を横切る方向のみに細分化された圧縮原画像データが配置される
、図１５に示す場合と比較して、より多数の画素データ（圧縮および細分化された圧縮画
像データ）を配置可能となる。それによって、例えばユーザに目視されるのが立体画像で
ある場合、運動視差に対応させることが可能となり、ユーザは、より自然な状態の立体画
像を認識することが可能となる。
【０１３７】
以上、本発明の一実施の形態について述べたが、本発明は、種々変形可能である。以下
、それについて述べる。
【０１３８】
上述の実施の形態では、凸レンズ１２Ａ１の傾きが右下がりとなっているが、左下がり
のものとしても良い。また、印刷を行う際、図２に示す状態から９０度回転させた状態で
印刷を行うようにしても良い。また、上述の説明では、キャリッジ軸２１の揺動機構を備
える構成と、他の揺動機構を備える構成と、揺動機構を備えない構成を簡単に説明したが
、これらは選択的な要素であり、いずれかのみを備えるのが原則であるが、全てを備える
構成、またはいずれか２つを選択的に備える構成を採用しても良い。
【０１３９】
上述の実施の形態においては、レンズシート１２への印刷は、トレイを用いず、直接、
レンズシート１２を副走査方向に搬送させて印刷しているが、印刷に際して、専用のトレ
イを用いるようにしても良い。トレイを用いる場合、該トレイには、レンズシート１２の
大きさに対応する嵌め込み部が存在し、この嵌め込み部にレンズシート１２を嵌め込むと
、凸レンズ１２Ａ１の長手は紙送り方向に沿うものの、レンズシート１２のシート端Ｅは
、紙送り方向に傾斜する状態となるものを使用しても良い。このようなトレイを用いて印
刷を行うと、揺動機構等の特有の機構を設けなくても、印刷品質を確保することが可能と
なる。また、レンズシート１２を搬送しないで、印刷ヘッド３２を主走査方向と副走査方
向に移動させるようにしても良い。
【０１４０】
また、上述の実施の形態においては、レンズ検出センサ６０は、ホームポジションから
離間する部位に、１つのみ設けられている。しかしながら、レンズ検出センサ６０の個数
は１つには限られず、キャリッジ３０に複数個設けるようにしても良い。例えば、キャリ
ッジ３０の下面のうち、主走査方向の両端にそれぞれレンズ検出センサ６０を取り付ける
場合、キャリッジ３０の往復動のそれぞれにおいて、印刷よりも先にレンズピッチを計測
することが可能となり、レンズシート１２に対する印刷を往復動のそれぞれで実行可能と
なる。
【０１４１】
また、上述の実施の形態では、ＥＮＣ信号およびレンズ信号は、パルス信号であると共
に、エンコーダ周期情報やレンズ周期情報は、これらのポジティブエッジで計測している
が、ネガティブエッジで計測しても良い。また、ＥＮＣ信号およびレンズ信号は、アナロ
グ信号であっても良い。これらがアナログ信号である場合、電圧の所定のしきい値を、エ
ンコーダ周期情報やレンズ周期情報とすれば、カウント値等を算出することが可能となる
。
【０１４２】
また、上述の実施の形態では、レンズシート１２は、凸レンズ１２Ａ１が多数並べられ
る構成となっているが、レンズシートはこれには限られず、凹レンズが多数並べられる構
成のレンズシートであっても良い。なお、この場合には、上述の各処理は、ポジティブエ
ッジではなく、ネガティブエッジを検出したときを基準とするのが好ましい。
【０１４３】
また、上述の実施の形態では、プリンタ１０は、印刷を実行するものとなっているが、
印刷のみを行うものには限られず、コピー、ファックス、スキャナの各機能の１つまたは
複数を兼ねる複合的なプリンタであっても良い。また、上述の実施の形態においては、レ
ンズシート１２に対して印刷画像を直接印刷する方式である直描型の場合について述べて
いる。しかしながら、別途印刷された印刷物をレンチキュラーレンズ１２Ａに貼り合わせ
る方式の分離型の場合についても、本発明を適用することは勿論可能である。
【図面の簡単な説明】
【０１４４】
【図１】本発明の実施の形態に係るプリンタ中のレンズ検出センサの構成を示す正面断面図である。
【図２】本発明の実施の形態に係るプリンタで印刷されるレンズシートの概略構成を示す平面図である。
【図３】図２のレンズシートの部分拡大図で、（Ａ）は、平面図の部分拡大図で、（Ｂ）は、断面図の部分拡大図である。
【図４】本発明の実施の形態に係るプリンタの構成を示す概略図である。
【図５】図４のプリンタの紙送りに関する部分の一側断面図である。
【図６】図４のプリンタ中のキャリッジの下面を示す底面図である。
【図７】図４のプリンタ中のプラテン付近の形状を示す側断面図である。
【図８】図４のプリンタ中のレンズ検出センサ等の構成を示す側断面図である。
【図９】図４のプリンタ中のギャップセンサの構成を示す模式図である。
【図１０】図４のプリンタの信号出力部の構成を示すブロック図である。
【図１１】図４のプリンタで実行される、レンズピッチ検出のアナログ信号とデジタル信号を示す図である。
【図１２】図４のプリンタで実行される、印刷を行うための基本的な処理フローを示す図である。
【図１３】図４のプリンタで実行される、傾斜角度の算出を説明すると共に、レンズ信号を示す図である。
【図１４】図４のプリンタで実行される、印刷データを作成するための処理フローを示す図である。
【図１５】図４のプリンタで印刷される連続画素配置を示す図で、そのデータ配置を示す図である。
【図１６】図４のプリンタで印刷される離間画素配置を示す図で、そのデータ配置を示す図である。
【図１７】図４のプリンタにおいて、印刷を実行するための処理フローを示す図である。
【図１８】図４のプリンタに揺動機構が存在している場合に、その揺動機構におけるドット形成の様子を示す図である。
【図１９】図４のプリンタに他の揺動機構が存在している場合に、その揺動機構におけるドット形成の様子を示す図である。
【図２０】図４のプリンタに採用可能なドット形成方法を説明する図で、各ノズルの駆動タイミング調整でドットを形成する様子を示す図である。
【図２１】図４のプリンタで印刷する際に生成されるレンズ信号を説明するための図で、（Ａ）は、レンズシートに対するキャリッジの副走査方向における走査位置を示す図で、（Ｂ）は、レンズシートのシート端でパルス幅が狭くなるレンズ信号を示す図である。
【図２２】図４のプリンタで印刷する際に生成される補完レンズ信号を説明するための図で、（Ａ）は、レンズシートシート端で補完処理を行った補完レンズ信号を示す図で、（Ｂ）は、さらに補完処理を行った後の補完レンズ信号を示す図である。
【図２３】図４のプリンタのレンズ信号処理制御部の構成を示す図である。
【図２４】図４のプリンタで実行される補完レンズ信号の生成を説明するフローである。
【図２５】図４のプリンタで生成される補完レンズ信号の生成過程を説明する図で、（Ａ）は、レンズ信号自体を示す図で、（Ｂ）は、バッファに記録される状態を示す図で、（Ｃ）は、生成された補完レンズ信号を示す図である。
【図２６】図４のプリンタにおける、レンズシートの印刷終了側のシート端における印刷ヘッド、受光部、凸レンズおよびレンズ信号の位置関係を示す図である。
【符号の説明】
【０１４５】
１０…プリンタ、１２…レンズシート（斜めレンズシートに相当）、１２Ａ１…凸レン
ズ（レンズに相当）、１２Ｅ…シート端、１２Ｅｔ…副走査方向シート端、６０…レンズ
検出センサ、θ…傾斜角度。
【図１】
2009104154.tif 000003
【図２】
2009104154.tif 000004
【図３】
2009104154.tif 000005
【図４】
2009104154.tif 000006
【図５】
2009104154.tif 000007
【図６】
2009104154.tif 000008
【図７】
2009104154.tif 000009
【図８】
2009104154.tif 000010
【図９】
2009104154.tif 000011
【図１０】
2009104154.tif 000012
【図１１】
2009104154.tif 000013
【図１２】
2009104154.tif 000014
【図１３】
2009104154.tif 000015
【図１４】
2009104154.tif 000016
【図１５】
2009104154.tif 000017
【図１６】
2009104154.tif 000018
【図１７】
2009104154.tif 000019
【図１８】
2009104154.tif 000020
【図１９】
2009104154.tif 000021
【図２０】
2009104154.tif 000022
【図２１】
2009104154.tif 000023
【図２２】
2009104154.tif 000024
【図２３】
2009104154.tif 000025
【図２４】
2009104154.tif 000026
【図２５】
2009104154.tif 000027
【図２６】
2009104154.tif 000028
【手続補正書】
【提出日】平成21年1月7日(2009.1.7)
【手続補正１】
【補正対象書類名】特許請求の範囲
【補正対象項目名】全文
【補正方法】変更
【補正の内容】
【特許請求の範囲】
【請求項１】
レンチキュラーレンズと、
インクが定着し印刷画像が形成される印刷面と、が層状に形成されているレンズシートであって、
前記印刷面の上方に、インクを透過するインク透過層が形成されている、ことを特徴とするレンズシート。
【請求項２】
前記印刷面または前記インク透過層のいずれか一方は、光を通す非透明性を有し、他方は透明性を有することを特徴とする請求項１記載のレンズシート。
【請求項３】
前記印刷面と前記インク透過層とは、共に白色で光を通すことを特徴とする請求項１記載のレンズシート。
【請求項４】
前記印刷面と前記インク透過層とは、共に透明性を有することを特徴とする請求項１記載のレンズシート。
【請求項５】
前記印刷面と前記インク透過層とは、共に光を通さないことを特徴とする請求項１記載のレンズシート。
【手続補正３】
【補正対象書類名】明細書
【補正対象項目名】０００７
【補正方法】変更
【補正の内容】
【０００７】
本発明は、上記の事情にもとづきなされたもので、無駄が出ず、しかも印字幅を稼ぐことができるレンズシートを提供することを目的とする。また、他の発明は、いわゆる斜めレンズシートに対して良好な印刷を実行できるプリンタを提供することを目的とする。更に、他の発明は、印刷後すぐに表面を触ることができるレンズシートを提供することを目的とする。